(57)【要約】      （修正有）【課題】傾斜した植木鉢において、傾斜底面上方から傾斜底面下方に向けて水が流れることを規制し、植木鉢内の水分量をできる限り均一な状態とすることが可能な植木鉢を提供する。【解決手段】内側底面の一端部が他端部よりも上方に位置し、内側底面が傾斜した植木鉢に関して、本体部２と、ヒール部３と、からなるハイヒール型の植木鉢１であり、ヒール部３は本体部２の一端部側に取り付けられており、少なくとも本体部の一端部側の内側底面６ａ，７ａには、凹部９，１０を設ける。【選択図】図１
2016059360.tif 000002
【特許請求の範囲】
【請求項１】
内側底面の一端部が他端部よりも上方に位置し、前記内側底面が傾斜した植木鉢であって、
当該植木鉢は、本体部と、ヒール部と、からなるハイヒール型であり、前記ヒール部は前記本体部の前記一端部側に取り付けられており、
少なくとも前記本体部の前記一端部側の内側底面には、凹部が設けられている、
ことを特徴とする植木鉢。
【請求項２】
前記本体部の内側底面には、前記一端部側から前記他端部側にかけて複数の凹凸部が設けられている、
ことを特徴とする請求項１に記載の植木鉢。
【請求項３】
前記凹部は、前記一端部側から前記他端部側に向けて形成された蛇行溝の形状である、
ことを特徴とする請求項１に記載の植木鉢。
【請求項４】
前記ヒール部は、掛止部材に掛止可能に構成されている、
ことを特徴とする請求項１から３のいずれか１項に記載の植木鉢。
【発明の詳細な説明】
【技術分野】
【０００１】
本発明は、ハイヒール型の植木鉢に関する。
【背景技術】
【０００２】
従来、植木鉢に植えられた植物をその上方から観賞できるようにするために、傾斜した形状となった植木鉢や、あるいは植木鉢を傾斜姿勢に保持するためのスタンドが知られている。特許文献１には、植木鉢を傾斜姿勢に保持し、植物を斜め上方から観賞できるようにした展示スタンドが開示されている（特許文献１の図１など）。
【先行技術文献】
【特許文献】
【０００３】
【特許文献１】特開２０１３−１８３７２７号公報
【発明の概要】
【発明が解決しようとする課題】
【０００４】
ところで、特許文献１に開示の展示スタンドのように、植木鉢を、前方が低く後方が高くなるよう傾斜させた場合、植木鉢内の水が前方に移動してしまい、その結果、植木鉢の底部前方には水が溜まり、一方、植木鉢の底部後方では水がなくなるという現象が生じる。そのため、植木鉢内の水分量が均一ではなくなり、植物の生育に支障をきたすことになる。
【０００５】
また、前方が低く後方が高くなるよう傾斜させた植木鉢内に、その前後方向に複数の植物が植えられている場合、植木鉢の前方に植えられている植物は、植木鉢の前方部分の土壌内部に水が滞留して過湿状態となることにより枯死してしまい、一方、植木鉢の後方に植えられている植物は、植木鉢の後方部分における土壌の保湿が維持できないために乾燥状態になりやすく、その結果、枯死してしまうという問題がある。
【０００６】
本発明は、傾斜した植木鉢において、傾斜した底面の上方から傾斜した底面の下方に向けて水が流れることを規制し、植木鉢内の水分量をできる限り均一な状態とすることが可能な植木鉢を提供することを目的とする。
【課題を解決するための手段】
【０００７】
本発明は、内側底面の一端部が他端部よりも上方に位置し、内側底面が傾斜した植木鉢に関する。本発明の植木鉢は、本体部と、ヒール部と、からなるハイヒール型であり、ヒール部は本体部の一端部側に取り付けられており、少なくとも本体部の一端部側の内側底面には、凹部が設けられていることを特徴としている。
【０００８】
一端部側の内側底面に凹部が設けられていることにより、上方に位置する一端部側でも水を保持することが可能になる。そして、植木鉢内の水の一部が凹部に保持される結果、一端部よりも下方に位置する他端部に植木鉢内の全部の水が流れ出てしまうことが規制される。こうして、上方に位置する一端部側でも水が保持でき、一方で、一端部よりも下方に位置する他端部側に滞留する水は少なくなる結果、植木鉢内における水分量を均一な状態に近づけることできる。
【０００９】
本発明の植木鉢において、本体部の内側底面には、一端部側から他端部側にかけて複数の凹凸部が設けられていることが好ましい。
【００１０】
一端部側から他端部側にかけて複数の凹凸部が設けられていることにより、植木鉢内の水は各凹部で保持されると共に、凸部により他端部側へ移動することが規制される。その結果、植木鉢内の水分量を一端部から他端部にかけて均一な状態に近づけることができる。
【００１１】
本発明の植木鉢において、凹部は、一端部側から他端部側に向けて形成された蛇行溝の形状であることが好ましい。
【００１２】
凹部が一端部側から他端部側に向けて形成された蛇行溝の形状となっていることにより、植木鉢内の水は溝状の凹部に保持される。さらに、その溝が蛇行形状であるため、溝内の水は一端部側から他端部側に向けて容易には流れていかず、溝内に保持されることになる。そのため、植木鉢内の水分量を一端部から他端部にかけて均一な状態に近づけることができる。
【００１３】
本発明の植木鉢において、ヒール部は、掛止部材に掛止可能に構成されていることが好ましい。
【００１４】
ヒール部が掛止部材に掛止可能に構成されていることにより、ヒール部をラティス（園芸用フェンス）や住宅内における手摺りなどの掛止部材に引っ掛けることができるため、植木鉢を掛止部材に吊り下げるようにして設置することができる。
【発明の効果】
【００１５】
本発明では、傾斜した植木鉢において、傾斜した底面の上方から傾斜した底面の下方に向けて植木鉢内の水が流れることを規制し、植木鉢内における水分量を均一な状態に近づけることができる。また、本発明の植木鉢は、掛止部材に吊り下げるようにして設置することができる。
【図面の簡単な説明】
【００１６】
【図１】（ａ）は本発明の植木鉢の斜視図であり、（ｂ）は（ａ）における１ｂ−１ｂ矢視断面図である。
【図２】（ａ）は図１における植木鉢に土を入れ、観葉植物を植えた状態を表す斜視図であり、（ｂ）は（ａ）における２ｂ−２ｂ矢視断面図である。
【図３】本発明の植木鉢の他の実施形態を表す図であり、（ａ）はその斜視図、（ｂ）は（ａ）の３ｂ−３ｂ矢視断面図である。
【図４】本発明の植木鉢の他の実施形態を表す図であり、（ａ）はその斜視図、（ｂ）は（ａ）の４ｂ−４ｂ矢視断面図である。
【図５】本発明の植木鉢の他の実施形態を表す図であり、（ａ）はその斜視図、（ｂ）は（ａ）の５ｂ−５ｂ矢視断面図である。
【図６】本発明の植木鉢を棒（掛止部材）に吊り下げて使用する場合を表す斜視図である。
【発明を実施するための形態】
【００１７】
本発明の植木鉢の実施形態について、図面を参照しながら説明する。なお、以下で説明する実施形態は、いずれも本発明の好ましい一具体例を示すものである。本発明は、以下の実施形態に限定されず、その主旨を逸脱しない範囲で適宜変更可能である。
【００１８】
［実施形態１］
図１（ａ）は本発明の植木鉢１の斜視図であり、図１（ｂ）は図１（ａ）における１ｂ−１ｂ矢視断面図である。また、図２（ａ）は本発明の植木鉢１に、土Ｅを入れ、植物の一例として観葉植物Ｐを植えた状態を表す斜視図であり、図２（ｂ）は図２（ａ）における２ｂ−２ｂ矢視断面図である。
【００１９】
植木鉢１は、ハイヒール型の形状をしており、本体部２と、本体部２の一端部に接続されると共に、縦方向に延びるヒール部３とから構成されている。本体部２は、底部４と、底部４から立ち上がる側壁部５とを備えている。本体部２は、つま先部６と、ヒール部３が接続され、つま先部６よりも上方に位置するかかと部７と、つま先部６とかかと部７とに一体的に接続される中間部８とからなっている。底部４の内側底面４ａは、つま先部６の内側底面６ａ、中間部８の内側底面８ａ、および、かかと部７の内側底面７ａから構成されている。内側底面４ａのうち、かかと部７の内側底面７ａから中間部８の内側底面８ａにかけては傾斜角度が大きくなっており、中間部８の内側底面８ａからつま先部６の内側底面６ａに向かうにつれて次第に傾斜角度が緩やかとなっている。
【００２０】
ヒール部３の長さ、および、本体部２とヒール部３との成す角度はそれぞれ、後述する掛止部材５０に掛止可能な長さおよび角度に構成されることが好ましい。このヒール部３の長さ、および、本体部２とヒール部３との成す角度は、掛止部材５０の大きさ等に応じて適宜決定すればよい。
【００２１】
かかと部７の内側底面７ａには、かかと部７の内側底面７ａを凹ませることにより形成された凹部９が設けられている。かかと部７の内側底面７ａに凹部９が設けられていることにより、植木鉢１に供給された水の一部は、本体部２の上方に位置するかかと部７の凹部９に保持される。そして、供給された水の一部が凹部９に保持される結果、かかと部７よりも下方に位置するつま先部６に、供給された水の全部が流れ込んでしまうことがなくなり、つま先部６に水が過剰に滞留することを防止することができる。
【００２２】
また、本実施形態では、図１（ｂ）に示すように、つま先部６の内側底面６ａにも、つま先部６の内側底面６ａを凹ませることにより形成した凹部１０が設けられている。凹部１０を設けることによって、つま先部６においても水分を保持することが可能となる。その結果、かかと部７における水分量とつま先部６における水分量とのバランスを調節することができる。
【００２３】
図２（ａ）および（ｂ）に示すように、本実施形態では、かかと部７に凹部９が設けられているため、かかと部７の凹部９において水を保持することができ、その結果、かかと部７側に植えられている観葉植物Ｐが、水がなくなることにより枯死してしまうことを防止できる。さらに、かかと部７に凹部９が設けられていることにより、供給された水の全部がつま先部６に流れ込んでしまうことがなくなるため、つま先部６側に植えられている植物が、過湿状態となることにより枯死してしまうことを防止できる。そして、かかと部７の凹部９とつま先部６の凹部１０とにより、かかと部７とつま先部６とにおける水分量のバランスを調節して、植木鉢１内の水分量を均一な状態に近づけ、植木鉢１内の生育環境をより良いものとすることができる。
【００２４】
［実施形態１のその他の構成］
凹部９や凹部１０の広さや深さは、特に限定されず、植木鉢１の大きさ等によって決定すればよい。凹部９および凹部１０の広さや深さを変えることによって、保持できる水分量を変えることができる。また、上記では、かかと部７に一つの凹部９を設け、つま先部６にも一つの凹部１０を設けた場合について説明したが、凹部９および凹部１０の数はそれぞれ１つに限定されない。
【００２５】
また、つま先部６およびかかと部７以外に中間部８の内側底面８ａを凹ませることにより、中間部８にも凹部を設けるようにしてもよい。中間部８にも凹部を設けることによって、植木鉢１内の水分量がより一層均一化される。
【００２６】
［実施形態２］
図３（ａ）は本発明の植木鉢１の他の実施形態を表す斜視図であり、図３（ｂ）は図３（ａ）における３ｂ−３ｂ矢視断面図である。なお、以下、すでに説明した実施形態と同じ構成については同一の符号を付して表し、重複説明を省略する。
【００２７】
実施形態２では、植木鉢１の内側底面４ａ（６ａ、７ａ、８ａ）を凹凸状に加工し、かかと部７からつま先部６にかけて複数の凹凸部２０を設けたことを特徴としている。
【００２８】
凹凸部２０の凹部２１および凸部２２は、植木鉢１の傾斜方向に対して横断する方向に、側壁部５の一方側から他方側にわたって延びている。凹凸部２０を設けることにより、植木鉢１内の水が凹部２１に溜まり、凹部２１内の水は凸部２２によってつま先部６側へ移動できなくなる。
【００２９】
［実施形態２のその他の構成］
上記では、かかと部７からつま先部６まで連続的に凹凸部２０が設けた場合について説明したが、かかと部７からつま先部６まで凹凸部２０を連続的に設けるのではなく、凹凸部２０を内側底面４ａに部分的に設けるようにしてもよい。
【００３０】
また、凹部２１の深さ（凸部２２の高さ）は、かかと部７側が最も大きく、つま先部６に向かうにつれて小さくなるようにしてもよい。これは、植木鉢１のうち、かかと部７から中間部６にかけての傾斜角度が大きいため、凹部２１の深さ（凸部２２の高さ）を大きくすることにより水がつま先部６側へ流れ出ることを防止して水を保持しやすくし、一方、つま先部６に向かうにしたがい次第に傾斜角度が小さくなっていくため、水を保持するための凹部２１の深さ（凸部２２の高さ）も次第に小さくするようにして、植木鉢１内における水分量をより均一にするためである。
【００３１】
また、凹部２１および凸部２２の形状は、例えば、曲面状溝（円弧状溝）、三角もしくは四角などの多角形溝、またはこれらの組み合わせであってもよい。
【００３２】
［実施形態３］
図４（ａ）は本発明の植木鉢１の他の実施形態を表す斜視図であり、図４（ｂ）は図４（ａ）における４ｂ−４ｂ矢視断面図である。
【００３３】
実施形態３では、植木鉢１の内側底面４ａ（６ａ、７ａ、８ａ）に、植木鉢１の内側底面４ａから突出する壁部３０を、かかと部７からつま先部６にかけて所定間隔あけて複数設けたことを特徴としている。各壁部３０は、植木鉢１の傾斜方向に対して横断する方向に、側壁部５の一方側から他方側にわたって延びている。
【００３４】
本実施形態においては、複数の壁部３０を所定間隔あけて設けたことにより、壁部３０が凸部となり、植木鉢１の内側底面４ａおよび隣接する壁部３０間で囲まれる空間３１が凹部となって、植木鉢１の内側底面４ａに複数の凹凸部が形成される。この場合、植木鉢１内の水が空間３１内に溜まり、水は壁部３０によってつま先部６側へ移動するできなくなる。
【００３５】
［実施形態３のその他の構成］
なお、壁部３０の高さは、かかと部７側が最も高く、つま先部６に向かうにつれて低くなるようにしてもよい。これは、植木鉢１のうち、かかと部７から中間部６にかけての傾斜角度が大きいため、壁部３０の高さを高くすることにより水がつま先部６側へ流れ出ることを防止して水を保持しやすくし、一方、つま先部６に向かうにしたがい次第に傾斜角度が小さくなっていくため、水を保持するための空間３１も次第に小さくするようにするために壁部３０の高さを低くして、植木鉢１内における水分量をより均一にするためである。
【００３６】
［実施形態４］
図５（ａ）は本発明の植木鉢１の他の実施形態を表す斜視図であり、図５（ｂ）は図５（ａ）における５ｂ−５ｂ矢視断面図である。
【００３７】
実施形態４では、植木鉢１の内側底面４ａ（６ａ、７ａ、８ａ）に、かかと部７からつま先部６に向けて蛇行溝４０を設けたことを特徴としている。
【００３８】
これにより、植木鉢１内の水が蛇行溝４０内に溜まると共に、溝が蛇行形状であるため、蛇行溝４０内の水が、かかと部７からつま先部６に向けて流れ難くなり、その結果、かかと部７側の蛇行溝４０内にも水が保持されたままとなる。
【００３９】
図５（ｂ）に示すように、蛇行溝４０は、その深さが、かかと部７からつま先部６に向けて徐々に浅くなるよう構成することが好ましい。上記の通り、蛇行溝４０内の水はつま先部６に向けて流れ難くなっているものの、完全につま先部６に向けて流れないわけではない。そのため、かかと部７側の溝の深さを深くしておくことにより、かかと部７側の蛇行溝４０から少量の水がつま先部６側に流れ出たとしても、依然として、かかと部７側の蛇行溝４０内に水が保持されたままの状態とすることができる。
【００４０】
［実施形態４のその他の構成］
蛇行溝４０の形状は、例えば、曲面状溝（円弧状溝）や、四角などの多角形溝であってもよい。
【００４１】
［その他］
なお、実施形態１〜４では、ハイヒール型の植木鉢１について説明したが、水を保持するための凹部（９、１０）、凹凸部２０、壁部３０または蛇行溝４０といった特徴は、ハイヒール型の植木鉢１に限らず、内側底面が傾斜した形状の植木鉢全般、または、内側底面が平坦である植木鉢を傾斜させて使用する場合に対しても利用できる。また、それらの特徴は、長手状の植木鉢であって、その長手方向に傾斜した形状の植木鉢に対して、特に有用である。
【００４２】
また、植木鉢１が排水構造を有しない場合、植木鉢１の培地としては、多孔質系培地、ココヤシおよびピートモス等をミックスして形成された固化培土等の気層構造が維持されやすい人工培土が望ましい。しかし、植木鉢１に排水構造を設ける場合には、上記培地に限定されない。
【００４３】
［植木鉢の設置方法］
次に、本発明の植木鉢１の設置方法について説明する。図６は、ヒール部３を棒５０（掛止部材の一例）に引っ掛け、植木鉢１を棒５０に吊り下げるようにして設置した状態を表す斜視図である。
【００４４】
このように、本発明の植木鉢１は、テーブル等の平面に載置して設置できるだけでなく、掛止部材５０に吊り下げるようにして設置することもできる。すなわち、本発明の植木鉢１はその設置方法が多様であり、使用者の望む設置方法を選択することができる。したがって、例えば、植木鉢１を載置するスペースがない場合であっても、掛止部材５０に吊り下げることにより、植木鉢１を設置することが可能となる。また、設置方法が多様であるため、植物を植えた植木鉢１を一種のインテリアとしての使用することもできる。
【００４５】
なお、掛止部材５０は、ラティスなどの園芸用フェンスや、建物の手摺りなど、ヒール部３を引っ掛けることができる部材であれば、特に限定されない。
【符号の説明】
【００４６】
１          植木鉢
２          本体部
３          ヒール部
４          底部
４ａ        内側底面
５          側壁部
６          つま先部
６ａ        つま先部の内側底面
７          かかと部
７ａ        かかと部の内側底面
８          中間部
８ａ        中間部の内側底面
９          凹部
１０        凹部
２０        凹凸部
２１        凹部
２２        凸部
３０        壁部
３１        空間
４０        蛇行溝
５０        棒（掛止部材）
Ｅ          土
Ｐ          観葉植物
【図１】
2016059360.tif 000003
【図２】
2016059360.tif 000004
【図３】
2016059360.tif 000005
【図４】
2016059360.tif 000006
【図５】
2016059360.tif 000007
【図６】
2016059360.tif 000008